(57)【特許請求の範囲】
【請求項１】
液剤を収容すると共に、該液剤の液量を観察する際の指標となる目盛の付された透明な秤量器と、
前記液剤の種類を識別する手段と、
前記液剤の表面付近を、前記目盛と共に該液剤の収容された秤量器の外側から撮像するカメラと、
前記秤量器が接触可能な２枚の透明板からなり、当該接触によって前記秤量器を鉛直に維持した状態で前記カメラの前に位置決めすることを可能とした鉛直矯正手段と、
前記カメラによる撮像データを、前記液剤の種類の識別手段からのデータと関連づけて記憶する記憶手段と、を備え、
ことを特徴とする液剤の監査システム。
【請求項２】
請求項１において、
前記鉛直矯正手段の前記２枚の透明板が、水平面に対して、前記秤量器を接触させたときに該秤量器を鉛直に維持した状態に維持し得るような所定の角度をもって立設された構成とされている
ことを特徴とする液剤の監査システム。
【請求項３】
請求項１または２において、更に、
音声再生手段を備え、前記液剤の種類を識別する手段によって識別された液剤の種類を該音声再生手段を介して発声可能とした
ことを特徴とする液剤の監査システム。
【請求項４】
請求項１〜３のいずれかにおいて、更に、
前記秤量器の目盛及び液剤の表面付近を照射可能な照明手段を備えた
ことを特徴とする液剤の監査システム。
【請求項５】
請求項１〜４のいずれかにおいて、更に、
前記液剤の秤量されるべき量を取り込む手段を備え、
前記記憶手段により、前記カメラによる撮像データを、前記液剤の種類の識別手段からのデータ及び当該液剤の秤量されるべき量のデータと関連付けて記憶する
ことを特徴とする液剤の監査システム。
【請求項６】
請求項５において、
前記液剤が、薬剤であって、更に、
該液剤を服用すべき患者を識別するためのデータを取り込む手段を備え、
前記記憶手段により、前記カメラによる撮像データを、前記液剤の種類の識別手段からのデータ、当該液剤の秤量されるべき量のデータ、及び前記患者の識別データと関連付けて記憶する
ことを特徴とする液剤の監査システム。
【発明の詳細な説明】
【技術分野】
【０００１】
本発明は、液剤の監査システム、特に、シロップ等の水溶性の薬剤が処方箋通りに秤量あるいは調合されたか否かを、簡易且つ確実な手法にて監査するのに好適な液剤の監査システムに関する。
【背景技術】
【０００２】
例えば、特許文献１において、メスシリンダ等の秤量器に収容した液剤の表面に超音波を照射し、その反射波を測定することによって液剤の液量を読み取る装置が提案されている。
【０００３】
この液量読み取り装置では、図６に示されるように、先ず対象液剤Ｌをメスシリンダ１０に収容し、超音波変位センサ１２の送受波面に対し直下位置にセットする。このセットしたメスシリンダ１０の液面Ｌ１に超音波を送受波して、受波面から液剤Ｌの液面１３までの距離を検出し、検出した距離データをデジタル信号として出力する。その上で、このデジタル信号の連続する新旧データを比較演算することによって前記液剤の液面の安定状態を確認し、液剤Ｌの液面１３が安定状態にあると確認した時点の数データの平均値を演算して液剤の容量値に換算した上で出力表示する。 
【０００４】
また、特許文献２には、この特許文献１に係る技術を改良し、メスシリンダのサイズが変わっても全てのメスシリンダの径中心に超音波変位センサの読取り位置を一致させるための技術が開示されている。この改良技術では、各メスシリンダの種類に対して共通の角度でＶ溝を設けると共に、このＶ溝面に勘合する位置出し突起部材を設け、Ｖ溝と位置出し突起部材が勘合した位置が、各種類のメスシリンダに共通して径中心となるように配置するようにしている。
【０００５】
【特許文献１】特開平１−２４４３１７号公報
【特許文献２】特開２０００−１９９７１９号公報
【発明の開示】
【発明が解決しようとする課題】
【０００６】
しかしながら、このような超音波を利用した液量の読み取り装置は、装置自体の構成が大掛かりとなり、現状では非常に高価となることから、大きな病院の薬剤部、あるいはこれと提携した薬局など、ごく一部のユーザでのみ使用されてだけというのが実情であった。しかも、その場合でも、複数の調剤者が共同で使うことになり、この読み取り装置を中核とする低コストで利便性の高い監査システムの構築は困難であった。
【０００７】
また、確かに、その時点で現に測定しようとする液剤の量自体については、正確に求めることができるものの、多種類の液剤を混合して所定の液量に調整するような場合には、これまでに何と何をどれだけずつ調合したか、現時点で何と何が混合された状態でこの液面が形成されているか、等の履歴については、システム的に必ずしも万全な対応が取られているわけではなく、調剤者の運用に依存している部分が多いというのが現状である。
【０００８】
言うまでもなく、調剤は、処方箋通りに、正確に行われなければならない。
【０００９】
秤量結果に対しては、調剤した人とは別の人によるダブルチェックが理想であるが、たとえ、人材面で別の人がチェックし得る環境であったとしても、当該別の人は、調剤者がこれまでに何と何を調合したかについては、不明であることが多く、万全なダブルチェックを行うのは難しい。こうした監査システム上の問題は、上記超音波を利用した装置だけでは、必ずしも完全に解決しきれていなかった。
【００１０】
それどころか、現実としては、上述したような高価な読み取り装置を使用するか否かとは別に、多くの現場では特定の調剤に関しては、１人の調剤者が最初から最後まで行っているというのが実情であり、ミスが許されない仕事だけに、調剤者の精神的な負荷が高いという問題も指摘されていた。
【００１１】
本発明は、このような従来の問題を解消するためになされたものであって、低コストで、且つ調剤者がひとりで調剤するような場合であっても、調剤の履歴に従って、あたかも別の人によるダブルチェックを行うかのような、（同一の調剤に対し検査手法の異なる）チェックを行うことができ、調剤者の精神的負担を軽減すると共にミスの生じにくい調剤を行うことができ、併せて、調剤をした後、時間をおいても各調剤の履歴を容易に確認することのできる液剤の監査システムを提供することをその課題としている。
【課題を解決するための手段】
【００１２】
本発明は、液剤を収容すると共に、該液剤の液量を観察する際の指標となる目盛の付された透明な秤量器と、前記液剤の種類を識別する手段と、前記液剤の表面付近を、前記目盛と共に該液剤の収容された秤量器の外側から撮像するカメラと、前記秤量器が接触可能な２枚の透明板からなり、当該接触によって前記秤量器を鉛直に維持した状態で前記カメラの前に位置決めすることを可能とした鉛直矯正手段と、前記カメラによる撮像データを、前記液剤の種類の識別手段からのデータと関連づけて記憶する記憶手段と、を備えた液剤の監査システムを構成することにより、上記課題を解決したものである。
【００１３】
この種の調剤において大きな問題となるのは、例えば、Ａ、Ｂ、Ｃという３種の液剤についてＡ−１０ｍｌ、Ｂ−１ｍｌ、Ｃ−５ｍｌを混合する処方箋が提示されているときに、Ａの液量を９．９ｍｌと誤秤量してしまうことではない。勿論、定量的な誤差があってはならないのは当然であるが、より重要なのは、超音波測定で初めて分かるようなレベルの誤差の検知ではなく、より初歩的でより重大な原因となり得るミスを犯さないシステムの構築である。上記例で言えば、Ａという液剤の代わりにＤという液剤を棚から取り出してしまったり、Ａ、Ｂ、Ｃの各薬剤を棚から取り出しはしたが、実際は、Ｂの秤量或いは混合を忘れ、Ａ、Ｃの２種のみで１５ｍｌ、或いは１６ｍｌの調剤をしてしまったり、或いは、Ａを５ｍｌ、Ｃを１０ｍｌと誤って逆の液量を秤量してしまったりするミスを極力発生させないように配慮したシステムを構築するということである。
【００１４】
本発明によれば、調剤者が調剤する過程を、「液剤の種類」と関連づけて「液量に関する情報を含む画像」と共にそのまま保存するため、液剤の種類（定性的監査）と液量（定量的監査）の双方に関する調剤履歴を同時に確認することができる。また、後々までこの調剤履歴そのものを保存できる。
【００１５】
しかも、この調剤後の確認は、「紙にプリントされた画像」或いは「モニタに映し出された画像」によるものであるため、自己がメスシリンダ等を実際に見て秤量するときに視認する状況とは、観察の態様が異なる。そのため、自己の誤秤量を極めて客観的に再チェックすることができる。そのため、たとえ前述したような複数種の液剤を混合するような調剤を行うような場合であっても、また、調剤者ひとりのみによるチェックであったとしても、あたかも別の人の目での最初からダブルチェックをしたと同等のチェック効果が得られる。
【００１６】
更に、近年では、いわゆる「Ｗｅｂカメラ」と称されるＰＣ（パーソナルコンピュータ）用の小型・高性能で且つローコストなカメラが普及してきており、また、今や個人向けでも動画を扱えるほどにハードディスクの保存容量も増大していることから、静止画の保存ならば容量的に問題となることもない。即ち、監査システムの構築に当たって、現在ではどの職場でも必ず存在する汎用のパーソナルコンピュータをその中核として活用することができる。そのため、専用・高価な監査装置を導入する必要がないことから、極めてローコストに監査システムを構築でき、特に、調剤者が１人しかいないような中小の薬局等においても、コスト的に支障なく導入することが可能である。
【００１７】
また、多くの調剤者がいるような大規模な病院や薬局においても、調剤者１人１人それぞれに専用の監査システムを与えることも簡単にでき、利便性が高い。
【発明の効果】
【００１８】
低コストで、監査効果の高い液剤の監査システムを構築できる。
【発明を実施するための最良の形態】
【００１９】
以下図面に基づいて、本発明の実施形態の一例を詳細に説明する。
【００２０】
図１、図２に示されるように、この実施形態に係る薬剤（液剤）の監査システムは、メートルグラス（秤量器）５２と、バーコード読み取り機（液剤の種類を識別する手段）５４と、カメラ５６と、パーソナルコンピュータ（記憶手段）５８と、モニタ５９と、から主に構成される。
【００２１】
前記メートルグラス５２は、薬剤Ｍを収容すると共に、該薬剤Ｍの液量を観察する際の指標となる目盛５２ｓの付された透明な容器で、汎用のもので構わない。メスシリンダのようなものでも良く、量が多いときは目盛り付きのビーカーのようなものでも良い。但し、この実施形態では、敢えて、メートルグラス５２として、最上部の注ぎ口５２Ａ以外の外周部５２Ｂと、最下部の鍔部５２Ｃの外周部５２Ｄとが同軸且つ同径とされたメートルグラスを採用している。これは、後述するように、この２箇所の外周部５２Ｂ、５２Ｃをポジショナ６０に当接させることにより、カメラ５６の前でメートルグラス５２を正しく鉛直方向に位置決めさせることができるようにするためである。
【００２２】
前記バーコード読み取り機５４は、薬剤Ｍ（Ｍ１、Ｍ２…）の種類を識別する機能を有するもので、設置場所を選ばないハンディタイプが好適である。しかし、本発明に係る液剤の識別手段は、このようなバーコード読み取り機５４に限定されるものではなく、例えばＩＣタグのようなものであってもよい。なお、各種薬剤Ｍを収容した瓶５５のパッケージ５５Ａには、製薬メーカーコード等の製品情報が含まれているバーコード５５Ｂが予め付されており、本バーコード読み取り機５４は、この情報を読み込んで、薬剤の種類Ｍ（Ｍ１、Ｍ２…）を識別する。なお、読み取り易さを優先して、瓶５５に別途バーコード札（図示略）を取り付けておくようにしてもよい。
【００２３】
前記カメラ５６は、図３に示されるように、メートルグラス５２に収容した薬剤Ｍの表面Ｍｓ付近を、目盛５２ｓと共にメートルグラス５２の外側から撮像するもので、防犯用の監査カメラ、或いはテレビ電話の撮影用カメラなどの用途で一般的に流通しているいわゆるＷｅｂカメラ等を利用することができる。この種のカメラはパーソナルコンピュータ５８によるリモート操作を行うことを前提としているため、使い勝手が良い。近接撮影ができるものであれば、撮像範囲はそれほど広くないため、必ずしも高解像度である必要はない。なお、パーソナルコンピュータ５８側から操作できる市販のデジタルカメラのようなものであっても良い。
【００２４】
パーソナルコンピュータ５８は、カメラ５６による撮像データを、バーコード読み取り機５４によって読み取られたデータ（薬剤の種類Ｍ１、Ｍ２…）と関連づけて記憶するもので、本実施形態ではカメラ５６の制御を含め、システム全体の制御を担っている。パーソナルコンピュータ５８は、Ｗｉｎｄｏｗｓ（登録商標）系ＯＳやＭａｃＯＳ（登録商標）等を搭載した汎用のパーソナルコンピュータでよく、ＣＰＵの性能もとりわけ高速なものは必要としない。
【００２５】
記憶手段としてのアプリケーションは、基本的にはテキストと画像を関連付けて同時に保存できるものであれば何でも良く、データベース系のアプリケーションは、特に好適である。この実施形態では、マイクロソフト社のＥｘｃｅｌ（登録商標）を採用している。このアプリケーションは、いわゆるデータベース系のアプリケーションではないが、多くのパーソナルコンピュータにインストールされている代表的な表計算ソフトであり、テキスト情報と画像情報をマトリクスで保存できるため設計に柔軟性があり、マクロ機能もあるため、本発明を適用するアプリケーションとして、充分に対応し得るソフトウエアである。
【００２６】
この実施形態に係る薬剤の監査システムにあっては、更に、透明のアクリル樹脂で構成されたポジショナ（鉛直矯正手段）６０を備えている。このポジショナ６０は、ベースプレート６０Ａと、該ベースプレート６０Ａと９０度の角度を有して（鉛直に）立設された２枚のガイドプレート（透明板）６０Ｂ、６０Ｃとで構成されている。ポジショナ６０には、撮像の際のカメラ５６の軸線５６Ａに相当する位置に基準ラインＬｏが表示されている。このポジショナ６０は、前記メートルグラス５２の最上部の注ぎ口５２Ａ以外の外周部５２Ｂと、最下部の鍔部５２Ｃの外周部５２Ｄの２カ所と同時接触可能で、接触時にメートルグラス５２を鉛直に維持した状態でカメラ５６の前に位置決め可能とする機能を備える。
【００２７】
この実施形態においては、このポジショナ６０の背後に、メートルグラス５２の目盛り及び薬剤Ｍの表面付近を照射可能としたＬＥＤ発光器７４が設けられ、カメラ５６による撮像が鮮明に行われるように配慮されている。
【００２８】
又、この実施形態においては、更に、スピーカ（音声再生手段）７６を備え、バーコード読み取り機５４によって識別された薬剤Ｍの種類を該スピーカ７６を介して発声可能としている。これにより、調剤者は、単に視覚による薬剤の識別に加えて、聴覚によっても自己の取り出した薬剤Ｍの種類を確認することができ、誤調剤の発生を更に抑えることができる。
【００２９】
パーソナルコンピュータ５８に接続されたキーボード８０のテンキー８２からは、薬剤Ｍの秤量されるべき液量及び当該薬剤Ｍを服用するべき患者の識別データに相当する患者ＩＤを入力することができ、これらの情報が、カメラ５６による撮像データと共に保存されるようになっている。患者ＩＤは、氏名のほか、個別に付けた番号を用いても良いし、これらと生年月日等の情報を組み合わせたものでも良い。カルテ等と分離する恐れがないときには、生年月日等の数字による患者ＩＤのみを用いるようにしても良い。なお、この秤量されるべき液量及び患者ＩＤが入力されたときに、この情報をもスピーカ７６を介して発声し、調剤者に聴覚による確認を喚起するようにすると一層良好である。
【００３０】
なお、これらの音声の発生を含め、撮像のトリガの入力等の各種手順は、全てＥｘｃｅｌに組み込んだマクロにしたがって実行されるようになっている。
【００３１】
次に、本監査システムの作用を説明する。
【００３２】
まず、テンキー８２を用いて患者ＩＤが入力される。この実施形態では、患者ＩＤとして生年月日を入力するようにしている。例えば、昭和５０年８月２７日生まれであれば、３５００８２７と入力する。冒頭の「３」は、昭和を表しており、明治ならば「１」、大正ならば「２」、平成ならば「４」と入力する。ここで「ＥＮＴＥＲ」を押すと、モニタ５９には、Ｅｘｃｅｌのマクロ機能により、バーコード読み取り機５４によって薬剤Ｍの認識を行うべきテロップが表示されるため、これに従ってバーコード読み取り機５４によって薬剤Ｍの瓶５５のラベル５５Ａに印刷されたバーコード５５Ｂの情報を読み取る。
【００３３】
すると、スピーカ７６から読み取った薬剤の種類が発音されるため、調剤者は聴覚によってもこれから秤量しようとする薬剤の種類を確認することができる。次いで、カメラ５６の起動指示に従ってカメラ５６を起動する。
【００３４】
一方、調剤者は、薬剤Ｍの種類と秤量すべき液量の情報に基づいてメートルグラス５２を用いて当該薬剤Ｍの液量を実際に自分の目で秤量する（図４参照）。秤量が終わると、調剤者はこのメートルクラス５２をそのままポジショナ６０に当接させ、ポジショナ６０のガイドプレート６０Ｂ、６０Ｃにマーキングされた基準ラインＬｏと当該液面Ｍｓとが一致する位置にメートルグラス５２を位置決めする。そして、この状態で「ＥＮＴＥＲ」を押し、カメラ５６のシャッタを切る。すると、Ｅｘｃｅｌのシートには、患者ＩＤ、調剤すべき薬剤Ｍの種類（Ｍ１、Ｍ２…）、及びその量の情報と共に、現に撮像した画像データがそのまま張り付けられる。
【００３５】
調剤すべき薬剤Ｍが複数あるときには、バーコード５５Ｂの読み取り以降の手順が繰り返される。一連の秤量及び撮像が終了して、バーコードの読み取りを行わずに「ＥＮＴＥＲ」を押すと、パーソナルコンピュータ５８は、一連の秤量が終了したと認識し、Ｅｘｃｅｌシートの印刷に掛かる。
【００３６】
調剤後、調剤者はプリントされたＥｘｃｅｌシートにより、自己のこれまでの調剤履歴を確認する。Ｅｘｃｅｌシートには、調剤した薬剤の種類Ｍ（Ｍ１、Ｍ２…）、それぞれの秤量すべき液量の情報とともに、自己が実際に秤量した画像が印刷されているため、一目で調剤履歴を確認することができる。これにより、例えば上記調剤例で言うならば、薬剤Ａを調剤すべきであるにも拘わらず、誤って薬剤Ｄを調剤したり、Ｂの調剤を忘れてＡ、Ｃの２種のみで１５ｍｌ、或いは１６ｍｌの調剤をしてしまったり、Ａを５ｍｌ、Ｃを１０ｍｌと誤って逆に秤量してしまったりするミスを非常に明確に、且つ確実にチェックすることができる。
【００３７】
また、このＥｘｃｅｌシートは、調剤した者の確認のために用いられるだけでなく、「紙」によるハードコピーを介して、あるいはパーソナルコンピュータ５８内に保存されている電子データを介して、いつでも確認できるため、万一患者の容体に疑問が生じるような事態が発生した場合においても、それが処方箋自体に原因があったのか、調剤の過程に原因があったのか等を、速やかに確認することができ、その時点での最も有効且つ適切な処方薬を再処方することができるようになる。
【００３８】
なお、上記実施形態においては、秤量器として鉛直方向の２カ所以上において同心、同径の外周部を有するような形状のメートルグラスを採用し、鉛直方向の位置決めが容易に行えるようにしていたが、本発明においては、必ずしもこの様な構造の秤量器を用いなければならないということではない。
【００３９】
また、上記実施形態においては、上記構造の秤量器を使用すると共に、ポジショナ（鉛直矯正手段）を装備し、カメラの前に秤量器を正しく鉛直に位置決めできるようにしていたが、本発明においては、ポジショナを装備するにしても、必ずしも上記構成に限定されるものではない。
【００４０】
例えば、図５に示されるように、普段多く用いるメートルグラス７０に鉛直方向の２箇所において同径の部分が存在しない場合には、このポジショナ７２の方を当該メートルグラス専用とし、該ポジショナ７２のガイドプレート７２Ｂ、７２Ｃのベースプレート７２Ａに対する設置角度を（鉛直ではなく）αとし、該メートルグラス７０のガイドプレート７２Ｂ、７２Ｃに対する角度を相殺することによってメートルグラス７０の鉛直を維持するような構成としても良い。
【００４１】
なお、市販のメートルグラス等で、鍔部の外周部が最上部の外周部より小さい秤量器を使用する場合には、鍔部に最上部の外周部と同径の円板状のプレートを貼着することにより、上記実施形態の構造と実質的に同様の構造を有する秤量器とすることができる。逆に、鍔部の外周部が最上部の外周部より大きい秤量器を使用する場合には、秤量器の適当な位置に鍔部と同径のリング状のプレートを装着するようにすればよい。
【００４３】
また、上記実施形態においては、より鮮明な撮像画像を得ることができるように、ＬＥＤによる照明手段を別途設けるようにしていたが、本発明においては、この照明手段についても、必須の構成要素ではない。すなわち、蛍光灯、あるいは白熱灯であってもよく、周囲が明るい環境であるならば、必ずしも照明手段を別途設ける必要はない。また、カメラ自体にストロボ等の発光機構が備えられている場合には、それを利用してもよい。
【００４４】
また、上記実施形態においては、秤量すべき液量、あるいは患者ＩＤを等の情報についても入力できるようにし、液剤の種類のほかこれらの情報をも含めて撮影された画像と共にＥｘｃｅｌシートに保存するようにしていたが、本発明においては、必ずしもこれらの情報を一緒に保存することまで要求するものではない。逆に、これらの情報のほか、更に、処方箋作成者、調剤時刻、調剤者等の情報等を合わせて保存するようにしても良い。
【００４５】
更には、上記実施形態においては、薬剤の種類の情報が識別手段によって識別されたときに、その名称を読み上げる機能を有していたが、この読み上げ機能を有することについても、本発明においては必ずしも要求するものではない。逆に、薬剤の種類の情報のほか、例えば秤量すべき量、あるいは患者ＩＤ等、その他の情報をもスピーカから音声情報として流すようにしてもよい。更には、例えば、間違いやすい別の薬剤が存在するときに、調剤しようとする薬剤の色を念のため確認すべきことを喚起するような、調剤に当たっての簡単な注意事項が一言流れるような構成としても良い。
【産業上の利用可能性】
【００４６】
大小あらゆる規模の薬局、或いは、病院の薬剤部等において、低コストでミスのない調剤を行うための監査システムの構築に利用できる。また、薬剤の監査に限らず、種々の液剤を取り扱う様々な産業分野において、その管理・取り扱いのための監査システムとしても幅広く利用できる。
【図面の簡単な説明】
【００４７】
【図１】本発明に係る液剤の監査システムの実施形態の一例を示す、全体構成図
【図２】上記実施形態において、メートルクラスをポジショナに当接する様子を示す斜視図
【図３】ポジショナに対して位置決めされたメートルグラスの液面を、カメラによって撮像している様子を示した側面図
【図４】調剤者がメートルグラスを用いて液量を測定している様子を示す側面図
【図５】メートルグラスの形状に合わせたポジショナを用いて、液面を撮像している様子を示す図３相当の側面図
【図６】従来の液剤の監査システムにおいて、その中核として用いられていた液量の読み取り装置を示す側面図
【符号の説明】
【００４８】
５２…メートルグラス（秤量器）
５２ｓ…目盛り
５４…バーコード読み取り機（液剤の種類を識別する手段）
５６…カメラ
５８…パーソナルコンピュータ（記憶手段）
５９…モニタ
６０…ポジショナ（鉛直矯正手段）
７４…ＬＥＤ発光器
７６…スピーカ（音声再生手段）
８０…キーボード
８２…テンキー
Ｍ…薬剤
【図１】
0004723969.tif 000002
【図２】
0004723969.tif 000003
【図３】
0004723969.tif 000004
【図４】
0004723969.tif 000005
【図５】
0004723969.tif 000006
【図６】
0004723969.tif 000007